(57)【特許請求の範囲】
【請求項１】
所定の照明位置を照明するための光源と、
光を導く導光部材と、
前記光源と前記所定の照明位置とを結ぶ線分で互いに対向する位置に設けられた光を反射する第１および第２の反射部材とを備え、
前記光源からの直接光と、
前記光源を発した所定の照明位置を直接照明しない光束を前記第１の反射部材で反射し前記導光部材を介して導き前記第２の反射部材で反射して前記直接光と交わる方向に出射する光と、
の２方向からの光で前記照明位置を照明するものである照明装置。
【請求項２】
直接光が通過する光路の途中および第２の反射部材を反射した光が通過する光路の途中の少なくとも一方には光を集光する集光部材が配置されている、
請求項１に記載の照明装置。
【発明の詳細な説明】
【０００１】
【発明の属する技術分野】
この発明は、デジタル複写機、ファクシミリなどに搭載された画像の読取装置などで用いられる照明装置に関する。
【０００２】
【従来の技術】
このような照明装置は、例えば、特開平５−３０８４７４号公報に開示されている。この照明装置は、結像用の光収束性レンズアレイと、その一方の端面に対向するイメージセンサとを筐体で保持し、レンズアレイの他方の端面に対向する筐体開口部を透明カバー部材で覆い、透明カバー部材の表面側から裏面側の光収束性レンズアレイに向かって結像光が透過するようにしている。透明カバー部材は、ガラス板状体の裏面の長手方向に帯状に延びる光散乱面を有し、その光散乱面の裏面に遮光層を設けている。そして、透明カバー部材の端面から長手方向に光源光を入射し、透明カバー部材を照明用導光系として使用している。
【０００３】
【発明が解決しようとする課題】
しかし、前記照明装置では、透明カバーの長手方向の端部から光源光を入射するようにしているため、光源の近傍と離れた個所とで光量の均一化が困難であるという不具合がある。
【０００４】
この発明の目的は、有効に利用されていなかった他の方向を照明する光量を有効利用して照明する光量を増加し、また、いわゆる両側照明を可能とすることにある。さらに、導光部材と光源のレイアウトの制約を少なくすることも目的とする。そのうえ、効率の高い照明をすることも目的とする。
【０００７】
【課題を解決するための手段】
請求項１に記載の発明は、所定の照明位置を照明するための光源と、光を導く導光部材と、前記光源と前記所定の照明位置とを結ぶ線分で互いに対向する位置に設けられた光を反射する第１および第２の反射部材とを備え、前記光源からの直接光と、前記光源を発した所定の照明位置を直接照明しない光束を前記第１の反射部材で反射し前記導光部材を介して導き前記第２の反射部材で反射して前記直接光と交わる方向に出射する光と、の２方向からの光で前記照明位置を照明するものである照明装置である。
【０００８】
したがって、ある一方向に照明する光量に加え、有効に利用されていなかった他の方向を照明する光量を一方向に向けて集中させることができ、照明する光量を増加することができる。また、いわゆる両側照明が可能となり、貼り込み原稿などの影の発生も抑制することができる。さらに、反射部材を複数用いたことにより、導光部材と光源のレイアウトの制約を少なくすることが可能となる。
【０００９】
請求項２に記載の発明は、請求項１に記載の発明において、直接光が通過する光路の途中および第２の反射部材を反射した光が通過する光路の途中の少なくとも一方には光を集光する集光部材が配置されている。
【００１０】
したがって、照明位置を直接照明する光、あるいは第２の反射部材を反射して照明位置を照明する光を集光して、効率の高い照明をすることができる。
【００１１】
【発明の実施の形態】
［発明の実施の形態１］
図１は、この発明の実施の形態１にかかる照明装置の縦断面図である。同図に示すように、この照明装置１は、光源２、光を導く導光部材３、光を反射する反射部材４を備えている。
【００１２】
光源２から導光部材３に入射した光束は、導光部材３の内部で全反射しながら導光部材３の全体に行き渡る。光源２より直接照明する光束は、導光部材３の中を通過するが、臨界角以下の角度で入射するため、再び導光部材３から抜け出して、照明位置５を直接に照明する。また、光源２から発せられる光束を導光部材３の側部から入射させ、この入射光を導光部材３を伝搬させて導光部材３の反対側に導き、導光部材３に形成された反射部材４で照明位置５に向けて反射する。このときの光束は前記した照明位置５を直接に照明する光束と交わる方向から照明位置５を照らす。
【００１３】
光源２としては、蛍光灯やキセノン管、冷陰極蛍光管など、また、図示はしないが、ハロゲン光源、ＬＥＤチップを複数並べたライン光源など、従来ライン照明に用いた照明光源を用いることができる。導光部材３としては、透明屈折率部材あるいは内面が反射面である導光管などを用い、例えば樹脂材料を用いるならＰＭＭＡやＰＣなどの材料で形成する。反射部材５としては高反射部材、例えば白色樹脂部材などを印刷あるいは塗装により形成したり、また、表面をすりガラス加工面にし、その上から高反射部材を塗布して拡散反射面としてもよい。
【００１４】
以上のような照明装置１により、ある一方向に照明する光量に加え、有効に利用されていなかった他の方向を照明する光量を一方向に向けて集中させることができ、照明する光量を増加することができる。また、いわゆる両側照明が可能となり、貼り込み原稿などの影の発生も抑制することができる。
【００１５】
［発明の実施の形態２］
図２は、この発明の実施の形態２にかかる照明装置の縦断面図である。同図に示すように、この照明装置１１は、光源１２、光を導く導光部材１３、光を反射する第１および第２の反射部材１４、１５を備えている。
【００１６】
光源１２から導光部材１３に入射した光束は、導光部材１３の内部で全反射しながら導光部材１３の全体に行き渡る。光源１２より直接照明する光束は、導光部材１３の中を通過するが、臨界角以下の角度で入射するため、再び導光部材１３から抜け出して、照明位置１６を直接に照明する。また、光源１２から発せられる光束を導光部材１３に入射させ、この入射光を導光部材１３に形成された第１の反射部材１４で反射し、導光部材１３を伝搬させて導光部材１３の反対側に導き、導光部材１３に形成された第２の反射部材１５で照明位置１６に向けて反射する。このときの光束は前記した照明位置１６を直接に照明する光束と交わる方向から照明位置１６を照らす。
【００１７】
光源１２としては蛍光灯やキセノン管、冷陰極蛍光管など、また、図示はしないが、ハロゲン光源、ＬＥＤチップを複数並べたライン光源など、従来ライン照明に用いた照明光源を用いることができる。導光部材１３としては、透明屈折率部材あるいは内面が反射面である導光管などを用い、例えば樹脂材料を用いるならＰＭＭＡやＰＣなどの材料で形成する。第１および第２の反射部材１４、１５としては高反射部材、例えば白色樹脂部材などを印刷あるいは塗装により形成したり、また、表面をすりガラス加工面にし、その上から高反射部材を塗布して拡散反射面としてもよい。
【００１８】
以上のような照明装置１１により、前記照明装置１と同様、照明する光量を増加し、また、両側照明を可能として貼り込み原稿などの影の発生も抑制することができる。さらに、反射部材を複数用いたことにより、導光部材と光源のレイアウトの制約を少なくすることが可能となる。
【００１９】
図３は、照明装置１１を光源として用いた電子写真方式の画像形成装置の密着イメージセンサの縦断面図である。この例では、レンズとしてルーフミラーレンズアレイを用いている。図３において、符号３１はフレーム、符号３２はコンタクトガラス、符号３３はフード、符号３４はレンズアレイ、符号３５は絞り板、符号３６はルーフミラーアレイ、符号３７は光路分離ミラー、符号３８は等倍結像素子である。
【００２０】
図４も、照明装置１１を光源として用いた電子写真方式の画像形成装置の密着イメージセンサの縦断面図である。この例では、レンズとして屈折率分布型集光レンズアレイを用いている。図４において、符号４１はフレーム、符号４２はコンタクトガラス、符号４３はコンタクトガラス４２上の原稿、符号４４は屈折率分布型集光レンズアレイ、符号４５は等倍結像素子である。
【００２１】
従来の密着イメージセンサでは、等倍結像素子の焦点距離が短いため、レイアウト上の制約が大きく、両側照明が困難であったが、図３、図４に示すように照明装置１１を用いることで両側照明を容易に実現することができる。
【００２２】
［発明の実施の形態３］
図５は、この発明の実施の形態３にかかる照明装置の縦断面図である。同図において、図２と同一符号の部材などは、前記発明の実施の形態２の場合と同様であり、詳細な説明は省略する。
【００２３】
図５の照明装置５１が前記照明装置１１と相違する点は、第２の反射部材１５で反射されて照明位置１６に向かう光束の光路の途中に光を集光する集光部材５２が配置されている点にある。この集光部材５２としては、図５に示す導光部材１３と一体に形成されたシリンドリカルレンズとするほか、フレネルレンズや回折格子を配置するようにしてもよい。
【００２４】
照明装置５１によれば、前記照明装置１、１１と同様、照明する光量を増加し、また、両側照明を可能として貼り込み原稿などの影の発生も抑制することができる。さらに、導光部材と光源のレイアウトの制約を少なくすることが可能となる。そのうえ、第２の反射部材１５で反射された光束を集光部材５２により広がらないようにして、照明位置１６を効率よく照明することができる。
【００２５】
［発明の実施の形態４］
図６は、この発明の実施の形態４にかかる照明装置の縦断面図である。同図において、図２、図５と同一符号の部材などは、前記発明の実施の形態２、３の場合と同様であり、詳細な説明は省略する。
【００２６】
図６の照明装置６１が前記照明装置１１、５１と相違する点は、導光部材１３を透過して照明位置を直接照明する光束の光路の途中に光を集光する集光部材６２が配置されている点にある。この集光部材６２としては、図６に示す導光部材１３と一体に形成されたシリンドリカルレンズとするほか、フレネルレンズや回折格子を配置するようにしてもよい。
【００２７】
照明装置６１によれば、前記照明装置１、１１と同様、照明する光量を増加し、両側照明を可能として貼り込み原稿などの影の発生を抑制し、導光部材と光源のレイアウトの制約を少なくし、第２の反射部材１５で反射された光束を集光部材５２により広がらないようにして、照明位置１６を効率よく照明することができる。また、照明位置１６を直接照明する拡散光をある程度集光して照明位置１６を効率よく照明することができる。
【００２９】
【発明の効果】
請求項１に記載の発明は、ある一方向に照明する光量に加え、有効に利用されていなかった他の方向を照明する光量を一方向に向けて集中させることができ、照明する光量を増加することができる。また、いわゆる両側照明が可能となり、貼り込み原稿などの影の発生も抑制することができる。さらに、反射部材を複数用いたことにより、導光部材と光源のレイアウトの制約を少なくすることが可能となる。
【００３０】
請求項２に記載の発明は、請求項１に記載の発明において、照明位置を直接照明する光、あるいは第２の反射部材を反射して照明位置を照明する光を集光して、効率の高い照明をすることができる。
【図面の簡単な説明】
【図１】この発明の実施の形態１にかかる照明装置の縦断面図である。
【図２】この発明の実施の形態２にかかる照明装置の縦断面図である。
【図３】前記発明の実施の形態２にかかる照明装置を光源として用いた電子写真方式の画像形成装置の密着イメージセンサの縦断面図である。
【図４】前記発明の実施の形態２にかかる照明装置を光源として用いた電子写真方式の画像形成装置の密着イメージセンサの縦断面図である。
【図５】この発明の実施の形態３にかかる照明装置の縦断面図である。
【図６】この発明の実施の形態４にかかる照明装置の縦断面図である。
【符号の説明】
１      照明装置
２      光源
３      導光部材
４      反射部材
１１    照明装置
１２    光源
１３    導光部材
１４    第１の反射部材
１５    第２の反射部材
５１    照明装置
５２    集光部材
６１    照明装置
６２    集光部材
【図１】
0003802240.tif 000002
【図２】
0003802240.tif 000003
【図３】
0003802240.tif 000004
【図４】
0003802240.tif 000005
【図５】
0003802240.tif 000006
【図６】
0003802240.tif 000007